(57)【特許請求の範囲】
【請求項１】
水平方向又は略水平方向が軸方向となっていてシャッターカーテンを巻き取り、繰り出すための巻取軸が、前記シャッターカーテンの巻き取り箇所で支持部材により上向きに支持されるシャッター装置の巻取軸支持構造において、
前記巻取軸の全体が上下方向の成分を有する方向に移動可能となって前記巻取軸が前記支持部材で支持され、
前記巻取軸の全体が自由状態となって前記支持部材の上に前記巻取軸が載せられていることを特徴とするシャッター装置の巻取軸支持構造。
【請求項２】
請求項１に記載のシャッター装置の巻取軸支持構造において、前記巻取軸の軸方向両端箇所には、前記支持部材からの前記巻取軸の脱落を防止するための脱落防止手段が設けられていることを特徴とするシャッター装置の巻取軸支持構造。
【請求項３】
水平方向又は略水平方向が軸方向となっていてシャッターカーテンを巻き取り、繰り出すための巻取軸が、前記シャッターカーテンの巻き取り箇所で支持部材により上向きに支持されるシャッター装置の巻取軸支持構造において、
前記巻取軸の全体が上下方向の成分を有する方向に移動可能となって前記巻取軸が前記支持部材で支持され、
前記巻取軸の全体が揺動中心部を中心とする上下方向に揺動自在となって前記支持部材の上に前記巻取軸が載せられ、
前記巻取軸には開閉機の出力軸からの回転駆動力が伝達され、前記揺動中心部はこの開閉機の出力軸と同軸的な位置に配置されていることを特徴とするシャッター装置の巻取軸支持構造。
【請求項４】
請求項３に記載のシャッター装置の巻取軸支持構造において、前記巻取軸と前記開閉機は、前記揺動中心部を中心に揺動自在となった揺動部材に取り付けられていることを特徴とするシャッター装置の巻取軸支持構造。
【請求項５】
請求項３に記載のシャッター装置の巻取軸支持構造において、前記開閉機は不動部材に取り付けられ、前記巻取軸はこの不動部材に対して前記揺動中心部を中心に揺動可能に配置されていることを特徴とするシャッター装置の巻取軸支持構造。
【請求項６】
水平方向又は略水平方向が軸方向となっていてシャッターカーテンを巻き取り、繰り出すための巻取軸が、前記シャッターカーテンの巻き取り箇所で支持部材により上向きに支持されるシャッター装置の巻取軸支持構造において、
前記巻取軸の全体が上下方向の成分を有する方向に移動可能となって前記巻取軸が前記支持部材で支持され、
前記巻取軸の全体が揺動中心部を中心とする上下方向に揺動自在となって前記支持部材の上に前記巻取軸が載せられ、
前記支持部材で上向きに支持された前記巻取軸は、前記シャッターカーテンの巻き取り、繰り出しの全部を通じて前記揺動中心部よりも上方に配置されていることを特徴とするシャッター装置の巻取軸支持構造。
【発明の詳細な説明】
【０００１】
【発明の属する技術分野】
本発明は、シャッターカーテンを巻き取り、繰り出すための巻取軸を備えたシャッター装置に係り、例えば、防火、防煙のための防災用シャッター装置や、出入り口等を開閉するシャッター装置等に利用できるものである。
【０００２】
【背景技術】
本出願人は、特開２０００−３０３７６２において、水平方向又は略水平方向が軸方向となっていてシャッターカーテンを巻き取り、繰り出すための巻取軸を、シャッターカーテンの巻き取り箇所で支持部材により上向きに支持するようにした防火、防煙のための防災用シャッター装置の巻取軸支持構造を提供した。この巻取軸支持構造によると、シャッターカーテンの巻き取り箇所で巻取軸は支持部材によって上向きに支持されているため、巻取軸の軸長が長くなり、これによりシャッターカーテンの幅が大スパン化しても、支持部材によって巻取軸が撓むのを防止できることになる。
【０００３】
さらに本出願人は、その後もこのシャッター装置の巻取軸支持構造についての改良のための研究を継続し、この成果として特願２０００−１１５１２５、同２０００−１２０４４３、同２０００−１３９７１２、同２０００−１６１５７６に係る発明を提供した。
【０００４】
【発明が解決しようとする課題】
しかし、これらの従来の巻取軸支持構造では、シャッターカーテンの巻き取り、繰り出しでシャッターカーテンの巻径が変化することになる巻取軸の軸方向両端がブラケットで一定の高さ位置に保持されているため、巻取軸に対する支持部材の高さ位置の設定が難しい。
【０００５】
すなわち、巻取軸の巻径はシャッターカーテンの巻き取り量が多くなると増大するため、巻取軸との間で最大の巻径と対応するスペースが確保された高さ位置に支持部材を配置しなければならないが、これによると、シャッターカーテンの全閉時において、言い換えると、巻径が最小となったとき又は巻径が零となったとき、最大の撓み量となる巻取軸の軸方向途中部に対して巻取軸の軸方向両端が相対的に上昇することになる。この結果、シャッターカーテンに皺が生じ、巻取軸でシャッターカーテンを巻き取るときに、巻取軸の軸方向に亘ってシャッターカーテンを均等に巻き取ることができないおそれが生ずることになる。このため、巻取軸に対する支持部材の高さ位置をこのようなおそれのない高さ位置に設定しなければならないが、この設定が難しい。
【０００６】
本発明の目的は、本出願人が提供した前記従来技術をさらに発展させ、巻取軸に対する支持部材の高さ位置の設定を不要にできるようになるシャッター装置の巻取軸支持構造を提供するところにある。
【０００７】
【課題を解決するための手段】
本発明に係るシャッター装置の巻取軸支持構造は、水平方向又は略水平方向が軸方向となっていてシャッターカーテンを巻き取り、繰り出すための巻取軸が、前記シャッターカーテンの巻き取り箇所で支持部材により上向きに支持されるシャッター装置の巻取軸支持構造において、前記巻取軸の全体が上下方向の成分を有する方向に移動可能となって前記巻取軸が前記支持部材で支持されていることを特徴とするものである。
【０００８】
この巻取軸支持構造によると、巻取軸の全体が上下方向の成分を有する方向に移動可能となって巻取軸が支持部材で支持されており、巻取軸の軸方向両端は一定の高さ位置に保持されていないため、シャッターカーテンの巻き取り、繰り出しで巻取軸の巻径が変化すると、その巻径の変化に応じた量だけ、シャッターカーテンの巻き取り箇所で支持部材によって上向きに支持されている巻取軸の全体が上下動することになる。
【０００９】
このため、本発明では、巻取軸に対する支持部材の高さ位置の設定は不要となり、また、巻取軸の軸方向両端を一定高さ位置に保持していた従来技術と比較すると、巻取軸によるシャッターカーテンの巻き取りを巻取軸の軸方向に亘って均等に行うことが可能となる。
【００１０】
本発明において、巻取軸をシャッターカーテンの巻き取り箇所において上向きに支持するための支持部材は、ローラ等による回転部材又は非回転部材でもよく、また、巻取軸のシャッターカーテン巻き取り箇所と接触する部分が平坦面となった平板やブロック等による部材でもよく、さらに、巻取軸のシャッターカーテン巻き取り箇所と接触する部分だけが円弧状等に湾曲した部材等でもよく、要するに、支持部材は、巻取軸のシャッターカーテン巻き取り箇所を上向きに支持するものであれば、任意な形状及び大きさのものでよい。
【００１１】
また、巻取軸の軸方向における支持部材の長さ及び支持部材の個数は、巻取軸の軸長に応じて任意に設定することができ、巻取軸の軸方向における支持部材の長さが長い場合には、巻取軸の軸方向における支持部材の個数は１個でもよく、複数個でもよい。また、巻取軸の軸長が長く、巻取軸の軸方向における支持部材の長さが短い場合には、巻取軸の軸方向における支持部材の個数を複数個とすることが好ましく、また、１個でもよい。
【００１２】
すなわち、巻取軸の軸方向における支持部材の長さ及び支持部材の個数は、巻取軸の全体を上下方向の成分を有する方向に移動可能に支持できるものである限りにおいて、任意である。
【００１３】
また、巻取軸の全体を移動可能とする上下方向の成分を有する方向は、鉛直方向でもよく、鉛直方向に対する傾斜角を有する方向でもよく、湾曲等の曲線を描く方向でもよく、上下方向の成分を有する限りにおいて、任意である。
【００１４】
また、上下方向の成分を有する方向へ巻取軸の全体を移動可能とするためには、巻取軸のこの移動を案内するための溝等のガイド部を備えた部材を設けてもよく、上下方向の成分を有する方向に移動可能となった部材に巻取軸を取り付けてもよい。
【００１５】
また、巻取軸の全体が上下方向の成分を有する方向に移動可能となって巻取軸が支持部材で支持されているとは、巻取軸の全体が自由状態となって支持部材の上に巻取軸が載せられていることでもよく、このように巻取軸の全体を支持部材の上に自由状態で載せる場合、言い換えると、巻取軸の全体を鉛直方向上向きに持ち上げ可能にして巻取軸を支持部材の上に載せる場合には、巻取軸の円周方向における支持部材による支持箇所の個数を複数個とすることが好ましい。また、巻取軸の円周方向における支持部材による支持箇所の個数を、巻取軸の軸方向に複数設けられる全部について同じとしてもよく、異ならせてもよい。異ならせる場合の一例は、支持箇所の個数が１個のところと複数個のところとを設けることである。
【００１６】
これにより、巻取軸を支持部材によって安定させて上向きに支持させることができるとともに、巻取軸におけるシャッターカーテンの巻径の変化に対応できることになる。
【００１７】
この場合において、巻取軸の円周方向における支持部材による支持箇所の個数を複数個とするためには、巻取軸の円周方向における支持部材の個数を複数個としてもよく、あるいは、支持部材を、例えば、Ｖ字ブロック等のように、複数個の支持箇所を備えたものとすることにより、巻取軸の円周方向における支持部材の個数を１個又は複数個としてもよい。
【００１８】
また、前述のように、巻取軸の全体を自由状態とさせて支持部材の上に巻取軸を載せる場合には、巻取軸の軸方向両端箇所に、支持部材からの巻取軸の脱落を防止するための脱落防止手段を設けてもよい。
【００１９】
これより、支持部材の上に巻取軸を常時安定させて載せておくことができ、巻取軸からのシャッターカーテンの繰り出し、巻き取りを所定どおり行える。
【００２０】
このように巻取軸の軸方向両端箇所に支持部材からの巻取軸の脱落を防止するための脱落防止手段を設ける場合において、この脱落防止手段は任意な構造、形式のものでよく、その一例は、巻取軸の軸方向の両端に補助部材を設け、これらの補助部材の外側に不動となった不動部材を配置し、これらの不動部材に、巻取軸が支持部材から脱落する手前で補助部材が当接して巻取軸の脱落を阻止するストッパ部材を設けることである。
【００２１】
さらに、本発明において、巻取軸の全体が上下方向の成分を有する方向に移動可能となって巻取軸が支持部材で支持されているとは、巻取軸の全体が揺動中心部を中心とする上下方向に揺動自在となって支持部材の上に巻取軸が載せられていることでもよく、このように巻取軸を揺動中心部を中心として上下方向に揺動自在とする場合には、巻取軸の円周方向における支持部材による支持箇所の個数を１個としてもよく、複数個としてもよい。
【００２２】
また、この場合においても、巻取軸の円周方向における支持部材による支持箇所の個数を、巻取軸の軸方向に複数設けられる全部について同じとしてもよく、異ならせてもよい。異ならせる場合の一例は、支持箇所の個数が１個のところと複数個のところとを設けることである。
【００２３】
このように巻取軸の円周方向における支持部材による巻取軸の支持箇所を複数個とする場合には、それぞれの支持個所を、上下方向又は支持箇所の間隔方向又はこれらの方向に対して傾斜した方向に移動可能としておく。
【００２４】
これによっても、巻取軸を所定どおり支持部材により上向きに支持させることができるとともに、巻取軸におけるシャッターカーテンの巻径の変化に対応できることになる。
【００２５】
そして、巻取軸に開閉機の出力軸からシャッターカーテンの巻き取りと繰り出しのうちの少なくとも一方のための回転駆動力が伝達される場合には、前記揺動中心部をこの開閉機の出力軸からずれた位置に配置してもよいが、開閉機の出力軸と同軸的な位置に配置することが好ましい。
【００２６】
このようにすると、巻取軸がシャッターカーテンの巻径の変化により揺動中心部を中心に揺動しても、開閉機の出力軸と巻取軸との間の間隔は常に同じになっているため、スプロケットとチェーン、プーリとベルト、複数の歯車の噛合による歯車列等による回転駆動力伝達手段を介して行われる開閉機の出力軸から巻取軸への回転駆動力の伝達を所定どおり行わせることができる。
【００２７】
上述のように、巻取軸を揺動中心部を中心として上下方向に揺動自在とする場合には、巻取軸と開閉機の両方を、揺動中心部を中心に揺動自在となった揺動部材に取り付けてもよく、開閉機を不動部材に取り付け、巻取軸をこの不動部材に対して揺動中心部を中心に揺動可能となるように配置してもよい。
【００２８】
前者の場合には、揺動部材の揺動中心部の位置は、開閉機の出力軸と同軸的位置でもよく、この出力軸の位置からずれた位置でもよい。これらのうちのいずれであっても、巻取軸と開閉機は揺動部材に常時一定間隔を保って取り付けられているため、開閉機の出力軸から巻取軸へ回転駆動力を所定どおり伝達させることができる。
【００２９】
また、前者を採用する場合には、揺動部材に対する巻取軸と開閉機の取付構造は任意であり、例えば、巻取軸の中心軸と開閉機の出力軸の両方を揺動部材に貫通させてこれらの巻取軸と開閉機を揺動部材に取り付けてもよく、あるいは、巻取軸の中心軸と開閉機の出力軸のうちの一方のみを揺動部材に貫通させてこれらの巻取軸と開閉機を揺動部材に取り付けてもよく、さらに、巻取軸の中心軸と開閉機の出力軸の両方を揺動部材に貫通させずにこれらの巻取軸と開閉機を揺動部材に取り付けてもよく、種々の取付構造を採用できる。
【００３０】
また、後者を実現する一つの手段は、不動部材に揺動中心部を中心とする湾曲した溝等によるガイド部を設け、このガイド部に巻取軸の軸方向端部を移動自在に係合することである。この後者においては、揺動中心部の位置を、開閉機の出力軸と同軸的位置とすることが好ましく、これにより開閉機の出力軸から巻取軸へ回転駆動力を所定どおり伝達できることになる。
【００３１】
なお、以上のように本発明が開閉機を備えたシャッター装置に適用される場合においては、その開閉機は、モータとブレーキを備えるものになっていて、ブレーキでシャッターカーテンを全開位置に保持し、シャッターカーテンに閉鎖作動を行わせるときにはブレーキを解除して座板等を含むシャッターカーテンの自重でシャッターカーテンを巻取軸から繰り出させ、シャッターカーテンを巻取軸に巻き取らせるときにはモータの回転駆動力で巻取軸を回転させるものでもよく、あるいは、ブレーキと、チェーンやレバー等による手動操作手段とを備えるものになっていて、ブレーキでシャッターカーテンを全開位置に保持し、シャッターカーテンに閉鎖作動を行わせるときにはブレーキを解除して座板等を含むシャッターカーテンの自重でシャッターカーテンを巻取軸から繰り出させ、シャッターカーテンを巻取軸に巻き取らせるときには手動操作手段を操作することによって手動回転駆動力で巻取軸を回転させるものでもよく、さらに、モータとブレーキを備えるものになっていて、ブレーキでシャッターカーテンを全開位置に保持し、シャッターカーテンに閉鎖作動を行わせるときにはブレーキを解除してモータの回転駆動力で巻取軸を回転させることにより巻取軸からのシャッターカーテンの繰り出しを行い、シャッターカーテンを巻取軸に巻き取らせるときにはモータの逆方向への回転駆動力で巻取軸を回転させるものでもよく、開閉機の仕様、形式等は任意である。
【００３２】
また、巻取軸を揺動中心部を中心として上下方向に揺動自在とする場合には、支持部材で上向きに支持された巻取軸と揺動中心部との高さ位置関係は任意に定めてもよいが、巻取軸を、シャッターカーテンの巻き取り、繰り出しの全部を通じて揺動中心部よりも上方に配置することがより好ましい。
【００３３】
このようにすると、巻取軸におけるシャッターカーテンの巻径が変化しても、シャッターカーテンの巻き取り、繰り出し位置となっている巻取軸の半径方向水平位置が水平方向へ移動する量を少なく又はなくすことができ、この移動量に関係して幅寸法等を定めなければならないまぐさやガイドレールが大型化するのを緩和できることになる。
【００３４】
以上において、本発明に係る巻取軸支持構造が適用されるシャッター装置のシャッターカーテンは、座板等の付属的部材を除く主要部分がシートで形成されたものでもよく、スラットで形成されたものでもよく、メッシュ部材で形成されたものでもよく、パネルで形成されたものでもよく、リンクとパイプで形成されたもの等でもよく、さらには、これらのうちの少なくとも２つの複合で形成されたもの等でもよい。
【００３５】
そして、シャッターカーテンの少なくとも一部の材料としてシートが用いられる場合には、このシートは塩化ビニル等による非耐火性シートでもよく、ガラスクロスやシリカクロス等による耐火性シートでもよい。
【００３６】
また、本発明に係る巻取軸支持構造が適用されるシャッター装置は、シャッターカーテンで防災区画を形成する防火、防煙のための防火用シャッター装置でもよく、シャッターカーテンで出入り口等の開口部を開閉するシャッター装置でもよい。そして、これらのシャッター装置は、建物に設置されるものでもよく、地下街等の構築物に設置されるものでもよく、本発明は、任意な場所に設置されるシャッター装置に適用できる。
【００３７】
また、本発明は、連続した１本の軸で巻取軸を形成したシャッター装置にも適用でき、軸方向に同軸的に配置された複数の軸を連結することにより巻取軸を形成したシャッター装置にも適用できる。また、本発明は、軸心をずらせて複数の巻取軸を配置し、これらの巻取軸を連結手段で連結して同期回転させるようにしたシャッター装置にも適用できる。すなわち、本発明は複数の巻取軸を有する連装タイプのシャッター装置にも適用でき、非連装タイプのシャッター装置にも適用できる。
【００３８】
【発明の実施の形態】
以下に本発明の実施形態を図面に基づいて説明する。図１は本実施形態に係る建物用シャッター装置の全体を示す建物の正断面図で、この建物用シャッター装置は、建物内に防火、防煙のための防災区画を形成するための防災用シャッター装置１である。天井２の上の天井裏空間３には、防災用シャッター装置１の巻取軸４が水平方向を軸方向として配置され、この巻取軸４の軸方向両端部には、左右の巻取軸軸端手段５Ａ、５Ｂが設けられている。長さが長い大スパンのシャフトになっている巻取軸４には耐火性シートによるシャッターカーテン６の上端が結合され、巻取軸４に巻かれているこのシャッターカーテン６は、図１のＳ２−Ｓ２線断面図である図２及び図１のＳ３−Ｓ３線断面図である図３に示すように、天井２に設けられたまぐさ７を通って鉛直に垂下されている。
【００３９】
また、図１に示すとおり、シャッターカーテン６の左右両端は建物の左右の壁８に配置されたガイドレール９の内部に挿入され、これらの左右両端に設けられた抜け止め部材１０でガイドレール９からの抜け止めがなされながら、シャッターカーテン６は、巻取軸４の正逆回転によって巻取軸４からの繰り出し、巻き取りがなされ、シャッターカーテン６の下端に取り付けた座板１１が床面１２に達することにより、シャッターカーテン６で遮蔽された防災区画が形成される。
【００４０】
巻取軸４の左右の巻取軸軸端手段５Ａ、５Ｂのうちの一方５Ａには開閉機１３が配置され、この開閉機１３はモータとブレーキの組み合わせからからなる。図１における巻取軸軸端手段５Ａ側の拡大図である図４に示すとおり、開閉機１３の出力軸１３Ａは巻取軸４の中心軸４Ａとスプロケット１４Ａ，１４Ｂ及びチェーン１４Ｃで連結されている。通常時は、座板１１がまぐさ７に達するまでシャッターカーテン６は巻取軸４に巻き取られており、このシャッターカーテン全開状態が開閉機１３のブレーキの作動で保持されている。火災の発生によって煙や炎を検出する図示しないセンサが作動し、このセンサからの信号が図示しない防災用シャッター装置１の制御装置に入力し、この制御装置からの指令により開閉機１３のブレーキが解除され、これにより開閉機１３の出力軸１３Ａは自由回転状態となり、シャッターカーテン６は座板１１を含めた自重で巻取軸４を正回転させながら下降する。
【００４１】
一方、防災用シャッター装置１の保守点検作業等のため、図示しないスイッチを操作すると、開閉機１３のモータの駆動によって出力軸１３Ａが回転し、これにより、スプロケット１４Ａ，１４Ｂ及びチェーン１４Ｃによる回転駆動力伝達手段を介して巻取軸４が逆回転し、シャッターカーテン６は巻取軸４に巻き取られて上昇する。そして、シャッターカーテン６が全開状態となると、開閉機１３のブレーキが作動してシャッターカーテン６の全開状態が保持される。
【００４２】
なお、開閉機１３はこのタイプに限定されず、例えば、前記モータの代わりに人手によって操作されるチェーン等からなる手動操作手段を備えており、シャッターカーテン６を巻取軸４の回転で巻取軸４に巻き取るときにおける開閉機１３の出力軸１３Ａの回転駆動力をこの手動操作手段の操作によって発生させるようになっているものでもよく、さらに、モータによって巻取軸４からのシャッターカーテン６の繰り出しと巻き取りの両方を行わせるようになっているものでもよい。
【００４３】
図１に示すとおり、巻取軸４におけるシャッターカーテン６の巻き取り箇所には、大スパンとなっている巻取軸４を支持する巻取軸支持手段２０が設けられ、この巻取軸支持手段２０は巻取軸４の軸方向に複数配置されている。それぞれの巻取軸支持手段２０の具体的構造は、図２及び図３に示されている。
【００４４】
それぞれ巻取軸支持手段２０は、巻取軸４の下側において巻取軸４の円周方向に２個配置された支持ローラ２１と、前記天井２の上面に配置され、２個の支持ローラ２１を回転自在に保持したブラケット２２とからなる。それぞれの支持ローラ２１は巻取軸４と平行又は略平行であり、これらの支持ローラ２１の上に巻取軸４は載せられている。
【００４５】
なお、ブラケット２２をＬ字形や逆Ｌ字形等の保持部材を介して前記天井裏空間３に存在する建物躯体に結合することにより、巻取軸支持手段２０をこの建物躯体に吊り下げ状態で配置してもよい。
【００４６】
このように、巻取軸４と平行又は略平行であって巻取軸４の円周方向に２個設けられた支持ローラ２１を備えている巻取軸支持手段２０が巻取軸４の軸方向に複数個設けられることにより、巻取軸４が上向きに支持されており、それぞれの支持ローラ２１は、巻取軸４をシャッターカーテン６の巻き取り箇所において上向きに支持するための支持部材となっている。
【００４７】
図４に示すように、巻取軸４の一方の端部側には不動ブラケット３０が配置され、前記巻取軸軸端手段５Ａの一部を形成しているこの不動ブラケット３０は、前記天井裏空間３に設けられている図示しない建物躯体に取り付けられ、したがって不動ブラケット３０は不動部材となっている。不動ブラケット３０の内側には、巻取軸軸端手段５Ａの一部を形成している補助ブラケット３１が配置され、この補助ブラケット３１に、前述した開閉機１３の出力軸１３Ａと巻取軸４の中心軸４Ａの一方の端部とが回転自在に挿入され、これにより、出力軸１３Ａと中心軸４Ａとの間隔が一定に保たれている。
【００４８】
不動ブラケット３０と補助ブラケット３１は図２にも示され、図３に示すように、巻取軸４の前記巻取軸軸端手段５Ｂ側における端部側にも、不動ブラケット３０と同じく、天井裏空間３に設けられている図示しない建物躯体に取り付けられた不動ブラケット３２と、この不動ブラケット３２の内側に配置された補助ブラケット３３とが設けられ、この補助ブラケット３３に巻取軸４の中心軸４Ａの他方の端部が回転自在に挿入されている。
【００４９】
補助ブラケット３１，３３は不動ブラケット３０，３２に結合されておらず、不動ブラケット３０，３２に対して自由状態となっている。不動ブラケット３０，３２には補助ブラケット３１，３３側へ延びるピン３４〜３６が突設されており、これらのピン３４〜３６によって、補助ブラケット３１，３３が不動ブラケット３０，３２に対して過度に移動すること、すなわち、巻取軸支持手段２０の支持ローラ２１に載せられている巻取軸４が支持ローラ２１から脱落することが防止されている。
【００５０】
すなわち、不動ブラケット３０，３２と補助ブラケット３１，３３とピン３４〜３６によって形成されている巻取軸軸端手段５Ａ，５Ｂは、ピン３４〜３６と補助ブラケット３１，３３との当接によって支持ローラ２１から巻取軸４が脱落するのを防止するための脱落防止手段となっている。
【００５１】
以上のことから、巻取軸４の軸方向両端は、不動部材等によって一定の高さ位置に保持された構造になっておらず、これらの軸方向両端は自由状態となっている。また、巻取軸４におけるシャッターカーテン６の巻き取り箇所は、巻取軸４の軸方向における複数箇所において、巻取軸４の円周方向における２個の支持ローラ２１で上向きに支持され、したがって、巻取軸４の全体が、全部が上下方向の成分となっている鉛直方向に移動可能となりながら、巻取軸４は、それぞれの巻取軸支持手段２０において、支持ローラ２１による巻取軸４の円周方向の２つの支持箇所で支持されている。
【００５２】
以上の実施形態では、巻取軸４の正逆回転によってシャッターカーテン６が巻取軸４から繰り出され、巻取軸４に巻き取られると、巻取軸４におけるシャッターカーテン６の巻径が変化し、このように巻径が変化すると、支持ローラ２１で上向きに支持されている巻取軸４の全体が鉛直方向に移動し、自由状態となっている巻取軸４の軸方向両端も鉛直方向に移動する。
【００５３】
このため、シャッターカーテン６の全部が巻取軸４から繰り出されて防災用シャッター装置１が全閉状態となったときでも、巻取軸４は、巻取軸４の軸方向全長に亘って水平又は略水平となっており、巻取軸の軸方向両端が一定高さ位置に保持されていた従来と異なり、支持ローラで支持された箇所が下方へ撓んで軸方向両端が相対的に上昇するということはない。したがって、巻取軸４によるシャッターカーテン６の巻き取りが行われるとき、シャッターカーテン６に皺が発生せず又は発生しにくくなり、巻取軸の軸方向両端を一定高さ位置に保持していた従来技術と比較すると、シャッターカーテン６は巻取軸４の軸方向に亘って均等に巻き取られることになり、この巻き取りを円滑に行える。
【００５４】
また、シャッターカーテン６の巻き取り、繰り出しに伴い、巻取軸４の全体が支持ローラ２１で支持された状態で上下動するため、従来と異なり、巻取軸４に対する支持ローラ２１の高さ位置を設定するという面倒な作業を行う必要もなくなる。
【００５５】
図５及び図６は、別実施形態を示す。この実施形態では、不動ブラケット３０，３２の内側に揺動ブラケット１３１，１３３が配置されており、揺動ブラケット１３１に、開閉機１３の出力軸１３Ａと巻取軸４の中心軸４Ａの一方の端部とが回転自在に挿通され、揺動ブラケット１３３に巻取軸４の中心軸４Ａの他方の端部が回転自在に挿通されている。
【００５６】
それぞれの揺動ブラケット１３１，１３３は、不動ブラケット１３０，１３２に揺動中心軸１３４を中心に上下揺動自在に取り付けられており、このため、揺動ブラケット１３１，１３３は揺動部材になっているとともに、揺動中心部となっている揺動中心軸１３４を中心として巻取軸４の全体は揺動自在であり、この揺動方向は上下方向の成分を有するものとなっている。
【００５７】
また、巻取軸４におけるシャッターカーテン６の巻き取り箇所の下部において巻取軸４の軸方向に複数個配置されている巻取軸支持手段１２０は、巻取軸４の円周方向に１個配置された支持ローラ１２１と、巻取軸４と平行又は略平行となっているこの支持ローラ１２１を回転自在に保持するブラケット１２２とからなる。したがって、支持ローラ１２１による巻取軸４の支持箇所は、それぞれの巻取軸支持手段１２０において、１つである。
【００５８】
この実施形態でも巻取軸４の軸方向両端は一定高さ位置に保持されていない。このため、巻取軸４の正逆回転によってシャッターカーテン６が巻取軸４から繰り出され、巻取軸４に巻き取られることにより、巻取軸４におけるシャッターカーテン６の巻径が変化すると、巻取軸４の全体が揺動ブラケット１３１，１３３の揺動で上下に移動し、前記実施形態と同様に、シャッターカーテン６は巻取軸４の軸方向に亘って均等に巻き取られることになる。
【００５９】
また、この実施形態によると、揺動ブラケット１３１，１３３は不動ブラケット１３０，１３２に揺動中心軸１３４で揺動自在に取り付けられ、この揺動方向以外の方向への揺動ブラケット１３１，１３３の移動は拘束されているため、前記実施形態におけるピン３４〜３６を省略できるという利点を得られる。
【００６０】
図７〜図９は、さらに別実施形態を示す。この実施形態でも、図７及び図８で示すように、不動ブラケット３０，３２の内側に揺動ブラケット２３１，２３３が配置され、揺動ブラケット２３１に、開閉機１３の出力軸１３Ａと巻取軸４の中心軸４Ａの一方の端部とが回転自在に挿通され、揺動ブラケット２３３に巻取軸４の中心軸４Ａの他方の端部が回転自在に挿通されている。また、巻取軸４におけるシャッターカーテン６の巻き取り箇所の下部において巻取軸４の軸方向に複数個配置されている巻取軸支持手段は、図５及び図６で示された手段１２０と同じであり、それぞれの巻取軸支持手段１２０は、１個の支持ローラ１２１で巻取軸４を上向きに支持している。
【００６１】
図９は、巻取軸４の一方の端部側に配置された不動ブラケット３０と揺動ブラケット２３１を示す。この図９で示すように、揺動ブラケット２３１に回転自在に挿通された開閉機１３の出力軸１３Ａは、不動ブラケット３０に結合された揺動中心軸２３４の先端の凹部２３４Ａに軸受け部材２３５を介して回転自在に挿入支持されている。このため、揺動ブラケット２３１の揺動中心部がこの揺動中心軸２３４となっているとともに、この揺動中心部は、開閉機１３の出力軸１３Ａと同軸的に配置されている。
【００６２】
また、図８で示されている揺動ブラケット２３３の揺動中心部は、不動ブラケット３１に結合されている揺動中心軸２３６であり、この揺動中心軸２３６の不動ブラケット３２及び揺動ブラケット２３３における配置位置は、不動ブラケット３０及び揺動ブラケット２３１における開閉機１３の出力軸１３Ａの位置と対応している。
【００６３】
この実施形態でも、巻取軸４の軸方向両端は一定高さ位置に保持されておらず、巻取軸４の正逆回転によってシャッターカーテン６の繰り出し、巻き取りがなされて巻取軸４におけるシャッターカーテン６の巻径が変化すると、揺動ブラケット１３１，１３３の揺動中心軸２３４，２３６を中心とする揺動により、巻取軸４の全体が上下に移動し、シャッターカーテン６は巻取軸４の軸方向に亘って均等に巻き取られることになる。
【００６４】
また、この実施形態によると、揺動ブラケット２３１，２３３の揺動中心部は開閉機１３の出力軸１３Ａの位置と一致しているため、図５及び図６の実施形態と異なり、図７と図９で示す開閉機１３の重量は、開閉機１３における出力軸１３Ａの位置にもよるが、揺動ブラケット２３１に巻取軸４の重量を打ち消す方向に全く又は殆ど作用しないことになる。このため、巻取軸４の軸方向に複数個配置される巻取軸支持手段１２０のうち、揺動ブラケット２３１に最も近い位置に配置されている巻取軸支持手段１２０の支持ローラ１２１には、他の巻取軸支持手段１２０の支持ローラ１２１と同じ又は略同じ大きさの荷重を作用させることができ、シャッターカーテン６を巻取軸４の軸方向に亘って一層均等に巻き取ることができる。
【００６５】
また、揺動ブラケット２３１に開閉機１３の出力軸１３Ａと巻取軸４の中心軸４Ａが回転自在に挿通されているため、揺動ブラケット２３１がどのような揺動位置にあっても、図２及び図３、図５及び図６の実施形態と同じく、開閉機１３の出力軸１３Ａの回転駆動力を前記スプロケット１４Ａ，１４Ｂ及びチェーン１４Ｃを介して巻取軸４の中心軸４Ａに伝達できる。
【００６６】
図１０及び図１１は、さらなる別実施形態を示す。図１０に示すように、この実施形態における不動ブラケット３０には付属ブラケット３３１が固定され、不動ブラケット３０と同じ不動部材となっていて、スプロケット１４Ａ，１４Ｂ及びチェーン１４Ｃを配置できる間隔を開けて不動ブラケット３０と一体化されているこの付属ブラケット３３１には、開閉機１３が取り付けられている。また、付属ブラケット３３１には、円弧状溝３３４が形成され、巻取軸４のガイド部となっているこの溝３３４に巻取軸４の中心軸４Ａの一方の端部がスライド自在に挿入されている。この溝３３は、開閉機１３の出力軸１３Ａを中心とする円弧状である。
【００６７】
また、図１１に示すように、不動ブラケット３２にも円弧状溝３３５が形成され、巻取軸４の中心軸４Ａの他方の端部がスライド自在に挿入されているこの溝３３５は、揺動中心部３３６を中心とする円弧状である。不動ブラケット３２におけるこの揺動中心部３３６の位置は、不動ブラケット３０及び付属ブラケット３３１における開閉機１３の出力軸１３Ａの位置と対応している。
【００６８】
この実施形態でも、巻取軸４の軸方向両端は一定高さ位置に保持されておらず、巻取軸４の正逆回転によってシャッターカーテン６の繰り出し、巻き取りがなされて巻取軸４におけるシャッターカーテン６の巻径が変化すると、円弧状溝３３４，３３５に案内されて巻取軸４の全体が上下に揺動し、シャッターカーテン６は巻取軸４の軸方向に亘って均等に巻き取られる。
【００６９】
また、溝３３４，３３５は開閉機１３の出力軸１３Ａと中心する円弧状であるため、巻取軸４がどのような揺動位置にあっても、開閉機１３の出力軸１３Ａの回転駆動力をスプロケット１４Ａ，１４Ｂ及びチェーン１４Ｃを介して巻取軸４の中心軸４Ａに伝達できる。
【００７０】
また、特にこの実施形態によると、図２〜図４で示された補助ブラケット３１，３３や、図５及び図６で示された揺動ブラケット１３１，１３３、図７〜図９で示された揺動ブラケット２３１，２３３は用いられておらず、このため、これらのブラケットの重量が、巻取軸４の軸方向に複数個配置される巻取軸支持手段１２０のうち、巻取軸４の軸方向両端側に配置されている巻取軸支持手段１２０の支持ローラ１２１に荷重となって作用するということも解消されている。したがって、巻取軸４の軸方向両端側に配置されている巻取軸支持手段１２０の支持ローラ１２１には、他の巻取軸支持手段１２０の支持ローラ１２１と一層同じとした又は一層略同じとした大きさの荷重を作用させることができ、巻取軸４に対するシャッターカーテン６の巻き取りを巻取軸４の軸方向に亘って一層均等に行わせることができる。
【００７１】
図１２は、図５〜図１１で示した実施形態のように、巻取軸４の軸方向に複数個設けられる巻取軸支持手段１２０の１個の支持ローラ１２１によって巻取軸４を上向きに支持するとともに、巻取軸４を揺動中心部Ａを中心に揺動自在とした場合における好ましい実施形態を示す。
【００７２】
すなわち、図１２で示されているとおり、巻取軸４の高さ位置を、シャッターカーテン６の巻き取り、繰り出しの全部を通じて巻取軸４が揺動中心部Ａよりも常時上方となる位置とする。
【００７３】
これによると、巻取軸４からシャッターカーテン６の全部が繰り出されると、巻取軸４は水平方向にＬ１分だけ移動し、シャッターカーテンの全部が巻取軸４に巻き取られると、巻取軸４は水平方向にＬ１分だけ戻って旧位に復帰する。このようにシャッターカーテン６の全部の繰り出し、巻き取りが行われたときに、巻取軸４におけるシャッターカーテン６の巻径は最大と最小の間で変化するが、この間において、巻取軸４の半径方向水平位置におけるシャッターカーテン６の繰り出し、巻き取り位置が移動する量はＬ２であり、この移動量Ｌ２は、巻取軸４の水平方向移動量Ｌ１によって少なくなる。
【００７４】
このため、移動量Ｌ２に応じた幅寸法としなければならない図５や図６で示すまぐさ７やガイドレール９のその幅寸法を小さくでき、これらの小型化を図ることができるようになる。
【００７５】
【発明の効果】
本発明によると、巻取軸に対する支持部材の高さ位置の設定を不要にできるという効果を得られる。
【図面の簡単な説明】
【図１】本発明の一実施形態に係る巻取軸支持構造が適用されている建物用シャッター装置の全体を示す建物の正断面図である。
【図２】図１のＳ２−Ｓ２線断面図である。
【図３】図１のＳ３−Ｓ３線断面図である。
【図４】図１の一部拡大図である。
【図５】別実施形態に係る巻取軸支持構造を示す図２と同様の図である。
【図６】図５の実施形態の巻取軸支持構造における図３と同様の図である。
【図７】さらに別実施形態に係る巻取軸支持構造を示す図２と同様の図である。
【図８】図７の実施形態の巻取軸支持構造における図３と同様の図である。
【図９】図７の実施形態の巻取軸支持構造における図４と同様の図である。
【図１０】さらにまた別実施形態に係る巻取軸支持構造を示す図２と同様の図である。
【図１１】図１０の実施形態の巻取軸支持構造における図３と同様の図である。
【図１２】支持部材である支持ローラで上向きに支持された巻取軸が、シャッターカーテンの巻き取り、繰り出しの全部を通じて揺動中心部よりも上方に配置されている場合の作用を示す図である。
【符号の説明】
１  建物用シャッター装置である防災用シャッター装置
４  巻取軸
５Ａ，５Ｂ  脱落防止手段である巻取軸軸端手段
９  ガイドレール
１３  開閉機
１３Ａ  開閉機の出力軸
１４Ａ〜Ｃ  回転駆動力伝達手段を形成するスプロケットとチェーン
２１，１２１  支持部材である支持ローラ
３０，３２  不動部材である不動ブラケット
３１，３３  補助ブラケット
１３１，１３３，２３１，２３３  揺動部材である揺動ブラケット
１３４，２３４，２３６  揺動中心部となっている揺動中心軸
３３１  不動部材である付属ブラケット
３３６，Ａ  揺動中心部
【図１】
0004689896.tif 000002
【図２】
0004689896.tif 000003
【図３】
0004689896.tif 000004
【図４】
0004689896.tif 000005
【図５】
0004689896.tif 000006
【図６】
0004689896.tif 000007
【図７】
0004689896.tif 000008
【図８】
0004689896.tif 000009
【図９】
0004689896.tif 000010
【図１０】
0004689896.tif 000011
【図１１】
0004689896.tif 000012
【図１２】
0004689896.tif 000013